(57)【要約】【課題】簡単な構造で球体に描かれた絵柄を複雑に変化させることのできる遊技機の図柄表示装置を提供する。【解決手段】表面に多数の絵柄が描かれた球体１と、該球体１を転動させる転動機構とを備えた遊技機の図柄表示装置であって、前記転動機構は、球体表面を周回する円周５直下に埋設された複数の永久磁石２と、前記円周５に対応して球体１の表面に近接して配列された複数の電磁石３とからなり、同期式で励磁された電磁石３が永久磁石２を引き付けて球体１を転動させる。なお、球体１の中心を通って直交する２つの平面と球体表面とが交差する２つ又は３つの円周の直下に、所要間隔をおいて永久磁石２を配置するとともに、前記２つ又は３つの円周に対応させて永久磁石２の間隔よりも狭く電磁石３を配列する。【選択図】  図１
2004275385.tif 000002
【特許請求の範囲】
【請求項１】
表面に多数の絵柄が描かれた球体と、該球体を転動させる転動機構とを備えた遊技機の図柄表示装置であって、前記転動機構は、球体表面を周回する円周直下に埋設された複数の永久磁石と、前記円周に対応して球体の表面に近接して配列された複数の電磁石とからなり、同期式で励磁された電磁石が永久磁石を引き付けて球体を転動させるようにしたことを特徴とする遊技機の図柄表示装置。
【請求項２】
球体の中心を通って直交する２つの平面と球体表面とが交差する２つの円周の直下に、所要間隔をおいて永久磁石を埋設するとともに、前記２つの円周に対応させて永久磁石の間隔よりも狭く電磁石を配列したことを特徴とする請求項１に記載の遊技機の図柄表示装置。
【請求項３】
球体の中心を通って互いに直交する３つの平面と球体表面とが交差する３つの円周の直下に、所要間隔をおいて永久磁石を埋設するとともに、前記３つの円周に対応させて永久磁石の間隔よりも狭く電磁石を配列したことを特徴とする請求項１に記載の遊技機の図柄表示装置。
【請求項４】
永久磁石が配列された平面のうちの１つ又は２つが、遊技盤面に垂直であることを特徴とする請求項２または３に記載の遊技機の図柄表示装置。
【請求項５】
円周同士が交差する球体表面の直下に永久磁石を埋設したことを特徴とする請求項２〜４の何れかに記載の遊技機の図柄表示装置。
【請求項６】
各円周に対応して配列される電磁石の個数を、少なくとも２つとしたことを特徴とする請求項２〜５の何れかに記載の遊技機の図柄表示装置。
【請求項７】
表面に多数の絵柄が描かれた多面体と、該多面体を転動させる転動機構とを備えた遊技機の図柄表示装置であって、前記転動機構は、多面体表面を屈曲して周回する線の直下に埋設された複数の永久磁石と、前記線に対応して多面体の表面に近接して配列された複数の電磁石とからなり、同期式で励磁された電磁石が永久磁石を引き付けて多面体を転動させるようにしたことを特徴とする遊技機の図柄表示装置。
【発明の詳細な説明】
【０００１】
【発明の属する技術分野】
本発明は、パチンコ機やスロットマシンなどの遊技機の図柄表示装置に関するものである。
【０００２】
【従来の技術】
例えばパチンコ機の遊技盤面のほぼ中央には複数の図柄が揃った時に大当たりの権利を発生させる図柄表示装置が配設されている。この図柄表示装置として、回転ドラム式のものが広く用いられているが、回転ドラムは上下などの一方向にのみしか回転することができないので、ドラムの外周面に描かれた図柄の数だけしか表示することができない。したがって、表示態様に変化をつけて興趣を盛り上げる効果において限界があった。
【０００３】
以上のような回転ドラム式の図柄表示装置に替えて、特開平８−１９１９３４号公報には、球状の回転体を用いた図柄表示装置が開示されている。この図柄表示装置においては、回転体に上下方向の回転軸と、遊技盤面に対して前後方向の回転軸とを取り付けて回転体を回転させる。上下方向の回転軸によって回転体を水平方向に回転させて図柄を入れ替えることができ、前後方向の回転軸によって図柄を上向き、横向きなどに変化させることができる。すなわち、この図柄表示装置は、従来の回転ドラム式のものに対して、表示された図柄がその向きを変える回転機構が追加されただけのものである。したがって、球面全面を遊技者の方に向けることができないので、図柄の入れ替えは従来と何らの変わりのないものであった。また、その回転機構には多数の小ギアや取付け軸、フレーム等を必要とし、構造が極めて複雑であるという問題があった。
【０００４】
【特許文献１】特開平８−１９１９３４号公報（図１）
【０００５】
【発明が解決しようとする課題】
本発明は上記した従来の問題点を解決し、簡単な構造で球体に描かれた絵柄を複雑に変化させることのできる遊技機の図柄表示装置を提供するためになされたものである。
【０００６】
【課題を解決するための手段】
上記の課題を解決するためになされた本発明の遊技機の図柄表示装置は、表面に多数の絵柄が描かれた球体と、該球体を転動させる転動機構とを備えた遊技機の図柄表示装置であって、前記転動機構は、球体表面を周回する円周直下に埋設された複数の永久磁石と、前記円周に対応して球体の表面に近接して配列された複数の電磁石とからなり、同期式で励磁された電磁石が永久磁石を引き付けて球体を転動させるようにしたことを特徴とするものである。
【０００７】
なお、球体の中心を通って直交する２つの平面と球体表面とが交差する２つの円周の直下に、所要間隔をおいて永久磁石を埋設するとともに、前記２つの円周に対応させて永久磁石の間隔よりも狭く電磁石を配列することができるし、球体の中心を通って互いに直交する３つの平面と球体表面とが交差する３つの円周の直下に、所要間隔をおいて永久磁石を埋設するとともに、前記３つの円周に対応させて永久磁石の間隔よりも狭く電磁石を配列することができる。また、永久磁石が配列された平面のうちの１つ又は２つを、遊技盤面に垂直とすることができ、円周同士が交差する球体表面の直下に永久磁石を埋設することができるし、さらに、各円周に対応して配列される電磁石の個数を、少なくとも２つとすることができる。
【０００８】
また、本発明の遊技機の図柄表示装置は、表面に多数の絵柄が描かれた多面体と、該多面体を転動させる転動機構とを備えた遊技機の図柄表示装置であって、前記転動機構は、多面体表面を屈曲して周回する線の直下に埋設された複数の永久磁石と、前記線に対応して多面体の表面に近接して配列された複数の電磁石とからなり、同期式で励磁された電磁石が永久磁石を引き付けて多面体を転動させるようにしたことを特徴とするものである。
【０００９】
【発明の実施の形態】
以下に図面を参照しつつ本発明の好ましい実施形態を説明する。図１は、本発明の遊技機の図柄表示装置を示す平面の断面図であって、１は球体、２は永久磁石、３は電磁石でありＸ１、Ｚ２、Ｚ１、Ｚ３、Ｘ２の５つが配列されている。また、９は透明の球体ホルダー、４は前面が透明のケーシングである。球体１は半球形の殻体が２つ組み合わされたものであって、その内部に４つの永久磁石２が配置されている。永久磁石２は、球体１の中心を通るＸＺ面が球体表面と交差する円周５の直下にほぼ等間隔に配置されているが、図では２本の棒磁石が直交して配設されて４つの永久磁石２が９０°置きに配置されている。なお、図７にＸ、Ｙ、Ｚ方向の説明図を示すが、Ｘ軸、Ｙ軸、Ｚ軸は互いに直交する。
【００１０】
そして、球体１の前記円周５に対応する表面に近接して５つの電磁石３が永久磁石２の間隔より狭い間隔で配列されており、電磁石３は図示していない制御装置に接続されている。これらの電磁石３を順次Ｘ１→Ｚ２→Ｚ１→Ｚ３→Ｘ２の順に励磁させれば励磁された電磁石３に永久磁石２が吸引されるので球体１を時計回りに回転させることができる。この場合には球体１はＹ軸を中心に回転するので、球面に描かれた絵柄を横方向にスクロールさせることができる。なお、電磁石３を一つ置きに交互に励磁させても球体１を回転させることができる。
【００１１】
また、球体１には図２に示すように、永久磁石２を球体１の中心を通るＹＺ面が球体表面と交差する円周６の直下に等間隔に配置することができる。そして、球体１の前記円周６に対応する表面に近接して５つの電磁石Ｙ１、Ｙ３、Ｚ１、Ｙ４、Ｙ２が配列されている。これらの電磁石３を順次Ｙ１→Ｙ３→Ｚ１→Ｙ４→Ｙ２の順に励磁するか、これらの電磁石３を一つ置きに交互に励磁させれば、球体１をＸ軸を中心に回転させることができる。
【００１２】
さらに、球体１には図３に示すように、永久磁石２を球体１の中心を通るＸＹ面が球体表面と交差する円周７の直下に等間隔に配置することができる。そして、球体１の前記円周７に対応する表面に近接して６つの電磁石Ｘ２、Ｘ３、Ｙ２、Ｘ４、Ｘ１及びＹ１が配列されている。Ｙ１を非励磁として残りの電磁石３を順次Ｘ２→Ｘ３→Ｙ２→Ｘ４の順に励磁するか、これらの電磁石３を一つ置きに交互に励磁させれば、球体１をＺ軸を中心として回転させることができる。そして、何れか一つの電磁石３を励磁状態に保持すれば球体１の回転を任意の絵柄が表示された状態でストップさせることができる。
【００１３】
上記した実施形態においては球体１転動用にそれぞれの面内において５つの電磁石３を用いたが、図４に示すように電磁石３を各面内に最低２つ配置して、これらを交互に励磁することによっても球体１を回転させることができる。すなわち、図４においては電磁石Ｚ１が励磁されていて永久磁石２ａを引き付けている。次に、電磁石Ｚ３を励磁すれば、図５に示すように電磁石Ｚ３に永久磁石２ａが引き付けられる。次いで、電磁石Ｚ１を励磁すれば電磁石Ｚ１は次の永久磁石２ｂを引き付けるので、球体１を連続的に回転させることができる。なお、図示のように球体１は中実体であっても差し支えはなく、この中実体の中に一体成形により円板状などの永久磁石２を埋設することができる。
【００１４】
Ｚ軸は必ずしも遊技盤面に垂直とする必要はないが、Ｚ軸を遊技盤面に垂直にした場合には、ＸＺ面及びＹＺ面が遊技盤面に垂直となる。したがって、図柄を、Ｘ軸を中心に垂直方向にスクロールすることができる。または、Ｙ軸を中心に水平方向にスクロールすることができるし、Ｚ軸を中心に絵柄の向きを上下反転させることができる。それぞれの面の電磁石３は独立して、又は同時に作動させることができるので、球体１を斜め方向などに複雑に回転させることができる。なお、Ｚ軸を遊技盤面に非垂直とした場合には、ＹＺ面のみを遊技盤面に垂直とすることができる。
【００１５】
上記したように、永久磁石２は球体中心で直交するＸ、Ｙ、Ｚの３軸に２つづつの計６個埋設する。すなわち、６つの永久磁石はＸＹ面とＸＺ面の交差する球面、ＸＹ面とＹＺ面が交差する球面、及びＸＺ面とＹＺ面とが交差する球面直下に埋設すれば、ＸＺ、ＹＺ、ＸＹの各面の円周５、６、７に永久磁石２を４つずつ均等の間隔で配列することができる。これによって、図８に示すように少ない永久磁石、及び電磁石の数で球体１を３方向に回転させることができる。なお、永久磁石２を統一性をもって７つ以上球体１に配置することによっても球体１を複雑に回転させることができる。そして、以上のような図柄表示装置を、図６に示すように、複数個用いて一つの変動図柄表示装置とすることによって、多数の絵柄を組合わせることができるので、遊興効果を従来になく大幅に高めることができる。また、永久磁石２を配列する円周は、図９に示すように中心を通らない平面と球体１とが交差する円周１０とすることもできる。
【００１６】
また、図柄表示装置を、表面に多数の絵柄が描かれた正１２面体や正２０面体等の多面体と、この多面体を転動させる転動機構とを備えたものとすることができる。例えば図１０に示す図柄表示装置には、正２０面体からなる多面体１１の表面を屈曲して周回する線１２の直下に複数の永久磁石２が埋設されており、線１２に対応して多面体１１の表面に近接して複数の電磁石３が配列されている。したがって、電磁石３を同期式で励磁することによって永久磁石２を引き付けて多面体１１を転動させることができる。永久磁石２を多面体１１の中心で直交する３つの平面上で多面体１１の表面近傍に埋設し、これに対応して電磁石３を配列することによって、多面体１１を３方向に回転させることができる。なお、多面体１１は正多面体に限定されるものではない。
【００１７】
【発明の効果】
以上に説明したように、本発明の遊技機の図柄表示装置は、表面に多数の絵柄が描かれた球体と、該球体を転動させる転動機構とを備えた遊技機の図柄表示装置であって、前記転動機構を、球体を周回してその表面直下に配列された複数の永久磁石と、球体の表面に近接して配列された複数の電磁石とから構成したので、電磁石を同期式で励磁することによって電磁石が永久磁石を引き付けて球体を転動させることができる。
したがって、本発明は、簡単な構造で球体を水平、垂直、反転等複雑に回転させることができるので、図柄の組合わせを大幅に増やして遊興効果を増大させることができるという大きな利点を有する。
【図面の簡単な説明】
【図１】本発明の図柄表示装置の構成を示す平面の断面図である。
【図２】本発明の図柄表示装置の構成を示す側面の断面図である。
【図３】本発明の図柄表示装置の構成を示す正面の断面図である。
【図４】別の実施形態の図柄表示装置の構成を示す平面の断面図である。
【図５】球体の回転を説明する平面の断面図である。
【図６】３つの図柄表示装置が組合わされた変動図柄表示装置の正面図である。
【図７】Ｘ、Ｙ、Ｚ軸、及びこれらの軸によって形成される平面の説明図である。
【図８】球体が３方向に回転するようにした図柄表示装置の斜視図である。
【図９】中心を通らない平面と球体とが交差する円周直下に永久磁石を埋設した図柄表示装置の斜視図である。
【図１０】多面体が転動する図柄表示装置の側面の断面図である。
【符号の説明】
１  球体
２  永久磁石
３  電磁石
４  ケーシング
５  ＸＺ面が球体表面と交差する円周
６  ＹＺ面が球体表面と交差する円周
７  ＸＹ面が球体表面と交差する円周
【図１】
2004275385.tif 000003
【図２】
2004275385.tif 000004
【図３】
2004275385.tif 000005
【図４】
2004275385.tif 000006
【図５】
2004275385.tif 000007
【図６】
2004275385.tif 000008
【図７】
2004275385.tif 000009
【図８】
2004275385.tif 000010
【図９】
2004275385.tif 000011
【図１０】
2004275385.tif 000012